(57)【要約】【課題】ユーザが情報格納手段における残容量の確認を的確に行うことができる格納容量管理システムを提供すること。【解決手段】この格納容量管理システム１０は、ＦＴＰサーバ２０における上限容量値及び実容量値に基づいてＦＴＰサーバ２０における各コンテンツプロバイダごとの使用率を、ホスティングサーバ３０における上限容量値及び実容量値に基づいてホスティングサーバ３０における各コンテンツプロバイダごとの使用率をそれぞれ算出する使用率算出部１０３と、ＦＴＰサーバ２０における各コンテンツプロバイダごとの使用率及びホスティングサーバ３０における各コンテンツプロバイダごとの使用率を関連付けて表示する使用率表示部１０４と、を含む。【選択図】  図１
2004178311.tif 000002
【特許請求の範囲】
【請求項１】
第一の情報が格納される第一情報格納手段において前記第一の情報が格納される容量の上限を示す第一上限容量値と、前記第一の情報が前記第一情報格納手段に実際に格納されている容量を示す第一実容量値とを取得する第一情報取得手段と、
前記第一の情報と対応する第二の情報が格納される第二情報格納手段において前記第二の情報が格納される容量の上限を示す第二上限容量値と、前記第二の情報が前記第二情報格納手段に実際に格納されている容量を示す第二実容量値とを取得する第二情報取得手段と、
前記第一上限容量値及び前記第一実容量値に基づいて前記第一の情報の前記第一情報格納手段における第一使用率を、前記第二上限容量値及び前記第二実容量値に基づいて前記第二の情報の前記第二情報格納手段における第二使用率をそれぞれ算出する使用率算出手段と、
前記第一使用率及び前記第二使用率を関連付けて表示する使用率表示手段と、を含む格納容量管理システム。
【請求項２】
前記第一情報格納手段は、ユーザがネットワークに情報を提供する際に当該情報を前記第一の情報として前記ユーザが使用する情報通信端末から取得するものであり、
前記第二情報格納手段は、前記ユーザが提供する情報を前記第二の情報として格納し、前記ネットワークを介して送信される要求に応じて前記第二の情報を提供するものであり、
前記第一情報格納手段に格納されている前記第一の情報と前記第二情報格納手段に格納されている前記第二の情報とは所定の時機において同期が取られている、請求項１に記載の格納容量管理システム。
【請求項３】
第一情報取得手段が、第一の情報が格納される第一情報格納手段において前記第一の情報が格納される容量の上限を示す第一上限容量値と、前記第一の情報が前記第一情報格納手段に実際に格納されている容量を示す第一実容量値とを取得する第一情報取得ステップと、
第二情報取得手段が、前記第一の情報と対応する第二の情報が格納される第二情報格納手段において前記第二の情報が格納される容量の上限を示す第二上限容量値と、前記第二の情報が前記第二情報格納手段に実際に格納されている容量を示す第二実容量値とを取得する第二情報取得ステップと、
使用率算出手段が、前記第一上限容量値及び前記第一実容量値に基づいて前記第一の情報の前記第一情報格納手段における第一使用率を、前記第二上限容量値及び前記第二実容量値に基づいて前記第二の情報の前記第二情報格納手段における第二使用率をそれぞれ算出する使用率算出ステップと、
使用率表示手段が、前記第一使用率及び前記第二使用率を関連付けて表示する使用率表示ステップと、
を含む格納容量管理方法。
【請求項４】
前記第一情報格納手段は、ユーザがネットワークに情報を提供する際に当該情報を前記第一の情報として前記ユーザが使用する情報通信端末から取得するものであり、
前記第二情報格納手段は、前記ユーザが提供する情報を前記第二の情報として格納し、前記ネットワークを介して送信される要求に応じて前記第二の情報を提供するものであり、
前記第一情報格納手段に格納されている前記第一の情報と前記第二情報格納手段に格納されている前記第二の情報とは所定の時機において同期が取られている、請求項３に記載の格納容量管理方法。
【請求項５】
コンピュータを、
第一の情報が格納される第一情報格納手段において前記第一の情報が格納される容量の上限を示す第一上限容量値と、前記第一の情報が前記第一情報格納手段に実際に格納されている容量を示す第一実容量値とを取得する第一情報取得手段と、
前記第一の情報と対応する第二の情報が格納される第二情報格納手段において前記第二の情報が格納される容量の上限を示す第二上限容量値と、前記第二の情報が前記第二情報格納手段に実際に格納されている容量を示す第二実容量値とを取得する第二情報取得手段と、
前記第一上限容量値及び前記第一実容量値に基づいて前記第一の情報の前記第一情報格納手段における第一使用率を、前記第二上限容量値及び前記第二実容量値に基づいて前記第二の情報の前記第二情報格納手段における第二使用率をそれぞれ算出する使用率算出手段と、
前記第一使用率及び前記第二使用率を関連付けて表示する使用率表示手段と、して機能させるための格納容量管理プログラム。
【請求項６】
前記第一情報格納手段は、ユーザがネットワークに情報を提供する際に当該情報を前記第一の情報として前記ユーザが使用する情報通信端末から取得するものであり、
前記第二情報格納手段は、前記ユーザが提供する情報を前記第二の情報として格納し、前記ネットワークを介して送信される要求に応じて前記第二の情報を提供するものであり、
前記第一情報格納手段に格納されている前記第一の情報と前記第二情報格納手段に格納されている前記第二の情報とは所定の時機において同期が取られている、請求項５に記載の格納容量管理プログラム。
【発明の詳細な説明】
【０００１】
【発明の属する技術分野】
本発明は、格納容量管理システム、格納容量管理方法、及び格納容量管理プログラムに関するものである。
【０００２】
【従来の技術】
ネットワークに対して情報を提供しようとするユーザとしてのコンテンツプロバイダが、その情報をアップロードする方法の一例として次のようなものがある。すなわち、コンテンツプロバイダは自身のコンピュータからＦＴＰサーバといった情報格納手段に対して、一般に提供しようとする情報を送信する。このＦＴＰサーバは通信事業者が管理運営するものであり、コンテンツプロバイダのコンピュータから接続することは可能であるけれども、ネットワークに対しては公開されていないものである。ＦＴＰサーバに格納された情報はホスティングサーバといった情報格納手段に移植されて同期が取られる。このホスティングサーバは通信事業者が管理運営するものであり、ネットワークに対して公開されているものである。従って、ホスティングサーバに格納された情報がネットワークを介して一般に提供されることとなる。この従来の技術に関連性のある同期技術として、クライアントとクライアント上のデータのレプリカを記憶した遠隔ホスト・レプリカの間でデータを同期させる適応同期サーバがある（例えば、特許文献１参照。）。
【０００３】
【特許文献１】
特開２０００−１３２４４４号公報（段落００１３〜００１４）
【０００４】
【発明が解決しようとする課題】
従来の技術では、コンテンツプロバイダはＦＴＰサーバに情報を格納し、通信事業者が例えばコンテンツプロバイダからの要求に応じてＦＴＰサーバとホスティングサーバとの情報の同期を取ることとなる。一般的には、各コンテンツプロバイダには各サーバの所定領域が割り当てられることとなる。この状況のもとにおいては、例えばコンテンツプロバイダがＦＴＰサーバにおいて割り当てられた残容量を確認して情報を格納した場合であっても、通信事業者がホスティングサーバとの同期を取ると、このホスティングサーバ側では残容量が不足する場合があるといった解決すべき課題がある。
【０００５】
そこで本発明では、ユーザが情報格納手段における残容量の確認を的確に行うことができる格納容量管理システム、格納容量管理方法、及び格納容量管理プログラムを提供することを課題とする。
【０００６】
【課題を解決するための手段】
本発明者らは前述の課題を解決すべく様々な検討を行った。ＦＴＰサーバとホスティングサーバとの情報の同期の取り方としては、ＦＴＰサーバからホスティングサーバへの同期（順方向同期）、ホスティングサーバからＦＴＰサーバへの同期（逆方向同期）、ＦＴＰサーバとホスティングサーバとの間の双方向の同期（双方向同期）、ＦＴＰサーバとホスティングサーバでは同期をとらない（非同期）の４種類がある。例えば、新たに情報をアップロードする場合には、非同期としない限りは操作を繰り返してもＦＴＰサーバとホスティングサーバとで残容量が異なる事態は起こらない。しかしながら、既にアップロードされている情報を更新する場合には、逆方向同期を取った場合にＦＴＰサーバ側に格納されている情報が意図せず古い情報になってしまう場合がある。この場合に新しい情報と古い情報とのデータ量が異なっていれば、ＦＴＰサーバとホスティングサーバとで残容量が異なる事態が起こることを本発明者らは見出した。本発明はこれらの知見に基づいてなされたものである。
【０００７】
本発明の格納容量管理システムは、第一の情報が格納される第一情報格納手段において第一の情報が格納される容量の上限を示す第一上限容量値と、第一の情報が第一情報格納手段に実際に格納されている容量を示す第一実容量値とを取得する第一情報取得手段と、第一の情報と対応する第二の情報が格納される第二情報格納手段において第二の情報が格納される容量の上限を示す第二上限容量値と、第二の情報が第二情報格納手段に実際に格納されている容量を示す第二実容量値とを取得する第二情報取得手段と、第一上限容量値及び第一実容量値に基づいて第一の情報の第一情報格納手段における第一使用率を、第二上限容量値及び第二実容量値に基づいて第二の情報の第二情報格納手段における第二使用率をそれぞれ算出する使用率算出手段と、第一使用率及び第二使用率を関連付けて表示する使用率表示手段と、を含む。
【０００８】
本発明の格納容量管理方法は、第一情報取得手段が、第一の情報が格納される第一情報格納手段において第一の情報が格納される容量の上限を示す第一上限容量値と、第一の情報が第一情報格納手段に実際に格納されている容量を示す第一実容量値とを取得する第一情報取得ステップと、第二情報取得手段が、第一の情報と対応する第二の情報が格納される第二情報格納手段において第二の情報が格納される容量の上限を示す第二上限容量値と、第二の情報が第二情報格納手段に実際に格納されている容量を示す第二実容量値とを取得する第二情報取得ステップと、使用率算出手段が、第一上限容量値及び第一実容量値に基づいて第一の情報の第一情報格納手段における第一使用率を、第二上限容量値及び第二実容量値に基づいて第二の情報の第二情報格納手段における第二使用率をそれぞれ算出する使用率算出ステップと、使用率表示手段が、第一使用率及び第二使用率を関連付けて表示する使用率表示ステップと、を含む。
【０００９】
本発明の格納容量管理プログラムは、コンピュータを、第一の情報が格納される第一情報格納手段において第一の情報が格納される容量の上限を示す第一上限容量値と、第一の情報が第一情報格納手段に実際に格納されている容量を示す第一実容量値とを取得する第一情報取得手段と、第一の情報と対応する第二の情報が格納される第二情報格納手段において第二の情報が格納される容量の上限を示す第二上限容量値と、第二の情報が第二情報格納手段に実際に格納されている容量を示す第二実容量値とを取得する第二情報取得手段と、第一上限容量値及び第一実容量値に基づいて第一の情報の第一情報格納手段における第一使用率を、第二上限容量値及び第二実容量値に基づいて第二の情報の第二情報格納手段における第二使用率をそれぞれ算出する使用率算出手段と、第一使用率及び第二使用率を関連付けて表示する使用率表示手段と、して機能させる。
【００１０】
本発明の格納容量管理システムおよび格納容量管理方法によれば、第一上限容量値及び第一実容量値に基づいて第一使用率を、第二上限容量値及び第二実容量値に基づいて第二使用率をそれぞれ算出するので、第一格納手段及び第二格納手段における使用率をそれぞれ算出できる。その算出した第一使用率及び第二使用率を関連付けて表示するので、第一格納手段及び第二格納手段における使用率を的確に把握できる。また、コンピュータを用いて本発明の格納容量管理プログラムを実行しても同様である。
【００１１】
また本発明の格納容量管理システム、格納容量管理方法、及び格納容量管理プログラムにおいては、第一情報格納手段は、ユーザがネットワークに情報を提供する際に当該情報を第一の情報としてユーザが使用する情報通信端末から取得するものであり、第二情報格納手段は、ユーザが提供する情報を第二の情報として格納し、ネットワークを介して送信される要求に応じて第二の情報を提供するものであり、第一情報格納手段に格納されている第一の情報と第二情報格納手段に格納されている第二の情報とは所定の時機において同期が取られていることも好ましい。所定の時機において同期が取られている第一情報格納手段及び第二格納手段のそれぞれの使用率を的確に把握することができるので、例えば役割の異なる格納手段である第一情報格納手段及び第二格納手段それぞれの残容量が異なってもその事象を的確に把握できる。
【００１２】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
本発明の実施形態である格納容量管理システムについて図１を用いて説明する。図１は格納容量管理システム１０を説明するための図である。格納容量管理システム１０は、ＦＴＰサーバ２０及びホスティングサーバ３０と情報通信可能なように構成されている。
【００１４】
ＦＴＰサーバ２０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。ＦＴＰサーバ２０は、機能的な構成要素として、送信部２０１と情報格納部（第一情報格納手段）２１０とを含む。
【００１５】
情報格納部２１０には、ＦＴＰサーバ２０を利用するコンテンツプロバイダといったユーザが、ネットワークに対して提供する情報（第一の情報）が格納されている。情報格納部２１０は、各コンテンツプロバイダに対応して格納できる容量が設定されている。従って、ＦＴＰサーバ２０を利用するコンテンツプロバイダは、自身に割り当てられた容量を上限として情報を格納できる。
【００１６】
送信部２０１は、情報格納部２１０に各コンテンツプロバイダが格納している情報に関連する情報を格納容量管理システム１０に送信する部分である。より具体的には、各コンテンツプロバイダがＦＴＰサーバ２０の情報格納部２１０に格納可能な情報の上限を示す上限容量値（第一上限容量値）と、実際に各コンテンツプロバイダがＦＴＰサーバ２０の情報格納部２１０に格納している情報の容量を示す実容量値（第一実容量値）とを対応させて格納容量管理システム１０に送信する。
【００１７】
ホスティングサーバ３０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。ホスティングサーバ３０は、機能的な構成要素として、送信部３０１と情報格納部（第二情報格納手段）３１０とを含む。
【００１８】
情報格納部３１０には、ホスティングサーバ３０を利用するコンテンツプロバイダといったユーザが、ネットワークに対して提供する情報（第二の情報）が格納されている。情報格納部３１０は、各コンテンツプロバイダに対応して格納できる容量が設定されている。従って、ホスティングサーバ３０を利用するコンテンツプロバイダは、自身に割り当てられた容量を上限として情報を格納できる。
【００１９】
送信部３０１は、情報格納部３１０に格納している情報に関連する情報を格納容量管理システム１０に送信する部分である。より具体的には、各コンテンツプロバイダがホスティングサーバ３０の情報格納部３１０に格納可能な情報の上限を示す上限容量値（第二上限容量値）と、実際に各コンテンツプロバイダがホスティングサーバ３０の情報格納部３１０に格納している情報の容量を示す実容量値（第二実容量値）とを対応させて格納容量管理システム１０に送信する。
【００２０】
ＦＴＰサーバ２０とホスティングサーバ３０との役割について説明する。ネットワークに対して情報を提供しようとするコンテンツプロバイダは、その提供しようとする情報をＦＴＰサーバ２０にアップロードし、その情報は情報格納部２１０に格納される。ＦＴＰサーバ２０とホスティングサーバ３０とは所定の時機に同期が取られるようになっており、ＦＴＰサーバ２０の情報格納部２１０に格納された情報は、ホスティングサーバ３０の情報格納部３１０に移植されて同期が取られる。ＦＴＰサーバ２０はコンテンツプロバイダがアクセス可能に構成されているけれども、一般にネットワークに対してアクセス可能に公開はされていない。一方、ホスティングサーバ３０はネットワークに対してアクセス可能に公開されており、コンテンツプロバイダが提供する情報を得ようとする一般ユーザはこのホスティングサーバ３０にアクセスして情報を得ることとなる。
【００２１】
格納容量管理システム１０は、物理的には、ＣＰＵ（中央処理装置）、メモリ、マウスやキーボードといった入力装置、ディスプレイといった表示装置、ハードディスクといった格納装置、モデムといった通信装置などを備えたコンピュータシステム（若しくはコンピュータシステムの集合体）として構成されている。
【００２２】
格納容量管理システム１０は、機能的な構成要素として、第一情報取得部（第一情報取得手段）１０１と、第二情報取得部（第二情報取得手段）１０２と、使用率算出部（使用率算出手段）１０３と、使用率表示部（使用率算出手段）１０４と、を含む。引き続いて、各構成要素について詳細に説明する。
【００２３】
第一情報取得部１０１は、各コンテンツプロバイダがＦＴＰサーバ２０の情報格納部２１０に格納可能な情報の上限を示す上限容量値（第一上限容量値）と、実際に各コンテンツプロバイダがＦＴＰサーバ２０の情報格納部２１０に格納している情報の容量を示す実容量値（第一実容量値）とをＦＴＰサーバ２０から取得し、使用率算出部１０３に出力する部分である。
【００２４】
第二情報取得部１０２は、各コンテンツプロバイダがホスティングサーバ３０の情報格納部３１０に格納可能な情報の上限を示す上限容量値（第二上限容量値）と、実際に各コンテンツプロバイダがホスティングサーバ３０の情報格納部３１０に格納している情報の容量を示す実容量値（第二実容量値）とをホスティングサーバ３０から取得し、使用率算出部１０３に出力する部分である。
【００２５】
使用率算出部１０３は、ＦＴＰサーバ２０の情報格納部２１０に格納可能な情報の上限を示す上限容量値と、実際に各コンテンツプロバイダがＦＴＰサーバ２０の情報格納部２１０に格納している情報の容量を示す実容量値とに基づいて各コンテンツプロバイダのＦＴＰサーバ２０の使用率（第一使用率）を算出し、使用率表示部１０４に出力する。使用率算出部１０３はまた、各コンテンツプロバイダがホスティングサーバ３０の情報格納部３１０に格納可能な情報の上限を示す上限容量値と、実際に各コンテンツプロバイダがホスティングサーバ３０の情報格納部３１０に格納している情報の容量を示す実容量値とに基づいて各コンテンツプロバイダのホスティングサーバ３０の使用率（第二使用率）を算出し、使用率表示部１０４に出力する。
【００２６】
使用率表示部１０４は、使用率算出部１０３が算出したＦＴＰサーバ２０の使用率とホスティングサーバ３０の使用率とを関連付けて表示する部分である。例えば、「ただいまのＦＴＰサーバの使用率９０％、ホスティングサーバの使用率９２％」といったように表示する。この場合には、使用率算出に用いた数値等を併せて表示するようにしてもよい。また、使用率表示部１０４はＦＴＰサーバ２０の使用率及びホスティングサーバ３０の使用率を表示する際に、他の情報とフレームを分けて表示するようにしてもよい。更に、例えばコンテンツプロバイダが使用する端末に表示させるような場合には、使用率表示部１０４は必要な情報をその端末に送信することで表示させることとしてもよい。
【００２７】
尚、本実施形態では、格納容量管理システム１０としてＦＴＰサーバ２０及びホスティングサーバ３０とは独立させた構成としているけれども、格納容量管理システム１０の各機能が一括して若しくは選択されてＦＴＰサーバ２０又はホスティングサーバ３０に組み込まれていてもよい。
【００２８】
引き続いて、格納容量管理システム１０を用いて格納容量情報の管理を行う方法について、図３に示すフローチャートを用いて説明する。格納容量管理システム１０の第一情報取得部１０１は、各コンテンツプロバイダがＦＴＰサーバ２０の情報格納部２１０に格納可能な情報の上限を示す上限容量値と、実際に各コンテンツプロバイダがＦＴＰサーバ２０の情報格納部２１０に格納している情報の容量を示す実容量値とをＦＴＰサーバ２０から受信し、使用率算出部１０３に出力する（ステップＳ０１）。
【００２９】
格納容量管理システム１０の第二情報取得部１０２は、各コンテンツプロバイダがホスティングサーバ３０の情報格納部３１０に格納可能な情報の上限を示す上限容量値と、実際に各コンテンツプロバイダがホスティングサーバ３０の情報格納部３１０に格納している情報の容量を示す実容量値とをホスティングサーバ３０から受信し、使用率算出部１０３に出力する（ステップＳ０２）。尚、このステップＳ０１及びステップＳ０２は並列して行われてもよく、ステップＳ０２が先に行われてからステップＳ０１が行われるようにしてもよい。
【００３０】
使用率算出部１０３は、ＦＴＰサーバ２０の情報格納部２１０に格納可能な情報の上限を示す上限容量値と、実際に各コンテンツプロバイダがＦＴＰサーバ２０の情報格納部２１０に格納している情報の容量を示す実容量値とに基づいて各コンテンツプロバイダのＦＴＰサーバ２０の使用率を算出し、使用率表示部１０４に出力する。使用率算出部１０３はまた、各コンテンツプロバイダがホスティングサーバ３０の情報格納部３１０に格納可能な情報の上限を示す上限容量値と、実際に各コンテンツプロバイダがホスティングサーバ３０の情報格納部３１０に格納している情報の容量を示す実容量値とに基づいて各コンテンツプロバイダのホスティングサーバ３０の使用率を算出し、使用率表示部１０４に出力する（ステップＳ０３）。
【００３１】
使用率表示部１０４は、使用率算出部１０３が算出したＦＴＰサーバ２０の使用率とホスティングサーバ３０の使用率とを関連付けて表示する（ステップＳ０４）。
【００３２】
次にコンピュータを、本実施形態の格納容量管理システム１０として機能させるための格納容量管理プログラム９２及びそれが記録されているコンピュータ読取可能な記録媒体９について説明する。図３は、格納容量管理プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００３３】
プログラム領域９１には、格納容量管理プログラム９２が記録されている。格納容量管理プログラム９２は、処理を統括するメインモジュール９２１と、第一情報取得モジュール９２２と、第二情報取得モジュール９２３と、使用率算出モジュール９２４と、使用率表示モジュール９２５とを備える。ここで、第一情報取得モジュール９２２、第二情報取得モジュール９２３、使用率算出モジュール９２４、使用率表示モジュール９２５のそれぞれを動作させることによって実現する機能は、上記格納容量管理システム１０の第一情報取得部１０１、第二情報取得部１０２、使用率算出部１０３、使用率表示部１０４のそれぞれの機能と同様である。
【００３４】
本実施形態においては、ＦＴＰサーバ２０の情報格納部２１０に格納可能な情報の上限を示す上限容量値と、実際に各コンテンツプロバイダがＦＴＰサーバ２０の情報格納部２１０に格納している情報の容量を示す実容量値とに基づいて各コンテンツプロバイダのＦＴＰサーバ２０の使用率を算出する。使用率算出部１０３はまた、各コンテンツプロバイダがホスティングサーバ３０の情報格納部３１０に格納可能な情報の上限を示す上限容量値と、実際に各コンテンツプロバイダがホスティングサーバ３０の情報格納部３１０に格納している情報の容量を示す実容量値とに基づいて各コンテンツプロバイダのホスティングサーバ３０の使用率を算出する。従って、ＦＴＰサーバ２０及びホスティングサーバ３０における使用率をそれぞれ算出できる。その算出したそれぞれの使用率を関連付けて表示するので、ＦＴＰサーバ２０及びホスティングサーバ３０における使用率を的確に把握できる。
【００３５】
【発明の効果】
本発明によれば、第一上限容量値及び第一実容量値に基づいて第一使用率を、第二上限容量値及び第二実容量値に基づいて第二使用率をそれぞれ算出するので、第一格納手段及び第二格納手段における使用率をそれぞれ算出できる。その算出した第一使用率及び第二使用率を関連付けて表示するので、第一格納手段及び第二格納手段における使用率を的確に把握できる。従って本発明の目的とする、ユーザが情報格納手段における残容量の確認を的確に行うことができる格納容量管理システム、格納容量管理方法、及び格納容量管理プログラムを提供することができた。
【図面の簡単な説明】
【図１】本発明の実施形態である格納容量管理システムを説明するための図である。
【図２】本発明の実施形態である格納容量管理システムを用いて格納容量情報を管理する方法を示したフローチャートである。
【図３】本発明の実施形態である格納容量管理プログラムを説明するための図である。
【符号の説明】
１０…格納容量管理システム、１０１…第一情報取得部、１０２…第二情報取得部、１０３…使用率算出部、１０４…使用率表示部、２０…ＦＴＰサーバ、２０１…送信部、２１０…情報格納部。３０…ホスティングサーバ、３０１…送信部、３１０…情報格納部。
【図１】
2004178311.tif 000003
【図２】
2004178311.tif 000004
【図３】
2004178311.tif 000005